(57)【要約】【課題】地熱発電システムにおいて、地熱水の熱を効率良く使用することで発電効率の向上を図る。【解決手段】地熱水から蒸気を分離する気水分離器１１と、気水分離器１１で分離された蒸気により駆動する蒸気タービン１２と、蒸気タービン１２により発電する発電機１３と、蒸気タービン１２を駆動した蒸気を凝縮する復水器１４と、気水分離器１１で蒸気が分離された地熱水を用いて復水器１４の不凝縮ガスを抽出するガス抽出器１５とを設ける。【選択図】図１
2016098805.tif 000002
【特許請求の範囲】
【請求項１】
地熱水から蒸気を分離する気水分離器と、
前記気水分離器で分離された蒸気により駆動するタービンと、
前記タービンにより発電する発電機と、
前記タービンを駆動した蒸気を凝縮する復水器と、
前記気水分離器で蒸気が分離された地熱水を用いて前記復水器の不凝縮ガスを抽出するエジェクタと、
を有することを特徴とする地熱発電システム。
【請求項２】
前記気水分離器から前記エジェクタに供給する地熱水に対して異物を除去するストレーナが設けられることを特徴とする請求項１に記載の地熱発電システム。
【請求項３】
前記気水分離器から前記エジェクタに供給する地熱水の流量を調整する調整弁が設けられることを特徴とする請求項１または請求項２に記載の地熱発電システム。
【請求項４】
前記気水分離器で蒸気が分離された地熱水により作動媒体を加熱して蒸気を生成する蒸発器と、前記エジェクタから排出された地熱水により前記蒸発器に供給される作動媒体を予熱する予熱器と、前記蒸発器で分離された蒸気により駆動する第２タービンと、前記第２タービンにより発電する第２発電機とが設けられることを特徴とする地熱発電システム。
【発明の詳細な説明】
【技術分野】
【０００１】
本発明は、地熱を利用してタービンを駆動回転することで発電を行う地熱発電システムに関するものである。
【背景技術】
【０００２】
地熱を利用した発電システムは、地中を所定深さまで掘削し、地下深部で蒸気と熱水が高圧下で共存する地熱水を地上へ噴出させ、この地熱水を気水分離器により蒸気と熱水とに分離し、この分離した蒸気によりタービンを駆動回転して発電を行うものが一般的である。このように地熱を利用した発電は、地上で燃料を燃焼させることがないため、ＣＯ２排出量が極めて少なく、環境に優しい発電方式である。
【０００３】
この地熱発電システムにおいて、地熱水から分離した蒸気は、タービンを駆動した後に復水器に送られ、ここで、冷却されて凝縮水となる。復水器の機能として重要なことは、蒸気が水に凝縮することで得られる内部の真空を高く保持することである。ところが、地熱水から分離した蒸気は、二酸化炭素（ＣＯ２）や硫化水素（Ｈ２Ｓ）などの不凝縮ガスが含まれている。そのため、復水器内にある不凝縮ガスを排出する必要がある。
【０００４】
復水器内にある不凝縮ガスを排出する技術としては、例えば、下記特許文献１に記載されたものがある。この特許文献１に記載された地熱発電プラントのガス抽出装置は、ガス抽出手段として、地熱蒸気を作動蒸気とするエゼクタを設ける一方、復水器中の不凝縮ガス量を検出する不凝縮ガス検知器を設け、このガス検知器からの検出信号によりエゼクタのノズル断面積を調節制御するものである。
【先行技術文献】
【特許文献】
【０００５】
【特許文献１】特許第２６７７７４０号公報
【発明の概要】
【発明が解決しようとする課題】
【０００６】
従来の地熱発電システムでは、ガス抽出器としてエジェクタを用い、復水器内にある不凝縮ガスを吸引して排出している。そして、このエジェクタにおける駆動流体として、地熱水から分離して生成した蒸気の一部を使用しており、使用後は、冷却されて復水器に戻される。そのため、タービンを駆動するための蒸気量が減少し、発電効率が低下してしまうという問題がある。
【０００７】
本発明は、上述した課題を解決するものであり、地熱水の熱を効率良く使用することで発電効率の向上を図る地熱発電システムを提供することを目的とする。
【課題を解決するための手段】
【０００８】
上述の目的を達成するための本発明の地熱発電システムは、地熱水から蒸気を分離する気水分離器と、前記気水分離器で分離された蒸気により駆動するタービンと、前記タービンにより発電する発電機と、前記タービンを駆動した蒸気を凝縮する復水器と、前記気水分離器で蒸気が分離された地熱水を用いて前記復水器の不凝縮ガスを抽出するエジェクタと、を有することを特徴とするものである。
【０００９】
従って、気水分離器が地熱水から蒸気を分離し、この蒸気によりタービンを駆動することで発電機により発電を行い、タービンを駆動した蒸気が復水器で凝縮される。また、気水分離器は、蒸気が分離された地熱水をエジェクタに送り、エジェクタは、この地熱水を用いて復水器の不凝縮ガスを抽出する。即ち、従来、気水分離器が地熱水から分離した蒸気を用いて復水器の不凝縮ガスを抽出していたが、本発明では、気水分離器が蒸気を分離した地熱水を用いて復水器の不凝縮ガスを抽出する。そのため、タービンを駆動するための蒸気が減少することはなく、地熱水における熱の有効利用を図ることができ、その結果、地熱水の熱を効率良く使用することで発電効率を向上することができる。
【００１０】
本発明の地熱発電システムでは、前記気水分離器から前記エジェクタに供給する地熱水に対して異物を除去するストレーナが設けられることを特徴としている。
【００１１】
従って、気水分離器からエジェクタに供給される地熱水は、ストレーナにより異物が除去されることとなり、復水器を有する冷却系統内への異物の混入を防止して各種機器の損傷を防止することができる。
【００１２】
本発明の地熱発電システムでは、前記気水分離器から前記エジェクタに供給する地熱水の流量を調整する調整弁が設けられることを特徴としている。
【００１３】
従って、調整弁により気水分離器からエジェクタに供給する地熱水の流量を適正量に調整することで、このエジェクタを適正に作動し、復水器に滞留する不凝縮ガスを効率良く抽出することができる。
【００１４】
本発明の地熱発電システムでは、前記気水分離器で蒸気が分離された地熱水により作動媒体を加熱して蒸気を生成する蒸発器と、前記エジェクタから排出された地熱水により前記蒸発器に供給される作動媒体を予熱する予熱器と、前記蒸発器で分離された蒸気により駆動する第２タービンと、前記第２タービンにより発電する第２発電機とが設けられることを特徴としている。
【００１５】
従って、エジェクタは、地熱水を用いて復水器の不凝縮ガスを抽出し、不凝縮ガスを含んだ地熱水が予熱器に送られ、ここで、地熱水により蒸発器に供給される作動媒体を予熱する。そのため、従来、復水器で不凝縮ガスを含んだ地熱水を処理していたが、本発明では、この不凝縮ガスを含んだ地熱水により作動媒体を予熱することで、地熱水における熱の有効利用を図ることができる。
【発明の効果】
【００１６】
本発明の地熱発電システムによれば、気水分離器で蒸気が分離された地熱水を用いて復水器の不凝縮ガスを抽出するエジェクタを設けるので、地熱水における熱の有効利用を図ることができ、その結果、地熱水の熱を効率良く使用することで発電効率を向上することができる。
【図面の簡単な説明】
【００１７】
【図１】図１は、第１実施形態の地熱発電システムを表す概略構成図である。
【図２】図２は、第２実施形態の地熱発電システムを表す概略構成図である。
【発明を実施するための形態】
【００１８】
以下に添付図面を参照して、本発明に係る地熱発電システムの好適な実施形態を詳細に説明する。なお、この実施形態により本発明が限定されるものではなく、また、実施形態が複数ある場合には、各実施形態を組み合わせて構成するものも含むものである。
【００１９】
［第１実施形態］
図１は、第１実施形態の地熱発電システムを表す概略構成図である。
【００２０】
第１実施形態の地熱発電システムは、ダブルフラッシュ方式の地熱発電システムである。
【００２１】
地熱発電システムは、図１に示すように、気水分離器１１と、蒸気タービン１２と、発電機１３と、復水器１４と、ガス抽出器（エジェクタ）１５と、気液分離器１６と、冷却塔１７とを有している。
【００２２】
生産井３１は、例えば、地下５００ｍ〜４，０００ｍ下で発生する高圧熱水の地下滞留層（図示略）から、天然の地熱水を採取する井戸である。この地熱水は、採取される地上までの上昇中に圧力が急低下するため、一部が蒸気へと気化し、地上では熱水（液体）と蒸気（気体）とが混在する二相流となる。生産井３１の地熱水は、熱水噴出ラインＬ１により気水分離器１１まで送られる。熱水噴出ラインＬ１は、調整弁Ｖ１が設けられており、この調整弁Ｖ１により気水分離器１１に送る地熱水の圧力と流量を調整することができる。
【００２３】
気水分離器１１は、生産井３１から熱水噴出ラインＬ１を通して送られた地熱水を分離熱水（液体）と蒸気（気体）に分離するものである。地熱水から分離された蒸気は、蒸気供給ラインＬ２により蒸気タービン１２に送られる。蒸気タービン１２は、気水分離器１１で分離された蒸気によりタービンを回転するものである。発電機１３は、タービンの回転軸に駆動連結されており、回転力を受けて発電することができる。
【００２４】
復水器１４は、蒸気タービン１２を駆動した使用済の蒸気が蒸気排出ラインＬ３により送られ、この蒸気を冷却水により凝縮して復水（温水）とするものである。地熱水から分離された蒸気は、二酸化炭素（ＣＯ２）や硫化水素（Ｈ２Ｓ）などの不凝縮ガスを含んでおり、ガス抽出器１５は、復水器１４に滞留する不凝縮ガスを抽出するものである。このガス抽出器１５は、エジェクタであり、抽出ラインＬ４を介して復水器１４に連結されると共に、地熱水供給ラインＬ５が連結されている。地熱水供給ラインＬ５は、調整弁Ｖ２が設けられており、この調整弁Ｖ２によりガス抽出器１５に送る地熱水の流量を調整することができる。ガス抽出器１５は、地熱水供給ラインＬ５から供給された蒸気により抽出ラインＬ４を介して復水器１４に滞留する不凝縮ガスを抽出する。
【００２５】
気水分離器１１は、蒸気が分離した分離熱水を排出する分離熱水ラインＬ６が設けられている。分離熱水ラインＬ６は、ポンプＰ１が設けられており、気水分離器１１で蒸気が分離された分離熱水を還元井３２に戻す。還元井３２に戻された熱水は、地下滞留層へと送り戻され、高圧熱水として再利用される。
【００２６】
また、分離熱水ラインＬ６は、中途部に上述した地熱水供給ラインＬ５の基端部が連結されており、地熱水供給ラインＬ５を介してガス抽出器１５に連結されている。即ち、ガス抽出器１５は、気水分離器１１で蒸気が分離された地熱水が分離熱水ラインＬ６及び地熱水供給ラインＬ５を通して供給され、この地熱水により抽出ラインＬ４を介して復水器１４に滞留する不凝縮ガスを抽出する二相流エジェクタにより構成されている。地熱水供給ラインＬ５は、調整弁Ｖ２よりも上流側に地熱水から異物を除去するストレーナＳが設けられている。
【００２７】
ガス抽出器１５は、不凝縮ガス処理ラインＬ９を介して気液分離器１６に連結されている。気液分離器１６は、不凝縮ガス処理ラインＬ９の下流端部が連結され、不凝縮ガスを含んだ地熱水を気液分離するものである。気液分離器１６は、気体排出ラインＬ１０により冷却塔１７に連結され、気体排出ラインＬ１０に真空ポンプＰ２が設けられている。また、気液分離器１６は、液体排出ラインＬ１１により復水器１４に連結され、液体排出ラインＬ１１にポンプＰ３が設けられている。気液分離器１６は、分離した気体（蒸気および不凝縮ガス）を気体排出ラインＬ１０により冷却塔１７に送ると共に、分離した液体（水）を液体排出ラインＬ１１により復水器１４に送る。
【００２８】
冷却塔１７は、気液分離器１６からの蒸気及び不凝縮ガスと、復水器１４からの復水（温水）が冷却されるものである。冷却塔１７は、前述したように、気液分離器１６からの気体排出ラインＬ１０が連結され、また、復水器１４との間に復水供給ラインＬ１２と冷却水供給ラインＬ１３が設けられている。そして、復水供給ラインＬ１２と冷却水供給ラインＬ１３は、ポンプＰ４，Ｐ５が設けられている。冷却塔１７は、気液分離器１６から気体排出ラインＬ１０により送られた蒸気及び不凝縮ガスを大気に排出する。また、冷却塔１７は、復水器１４から復水供給ラインＬ１２により送られた復水を空気に接触させて冷却する。冷却塔１７で冷却された復水は、冷却水供給ラインＬ１３により復水器１４に送られ、冷却水として使用される。
【００２９】
また、冷却水供給ラインＬ１３は、分岐ラインＬ１４が設けられ、先端部が気液分離器１６に連結されている。気液分離器１６は、分岐ラインＬ１４から送られた冷却水により、不凝縮ガス処理ラインＬ９から送られた不凝縮ガスを含んだ地熱水を冷却した後、気液分離する。
【００３０】
ここで、第１実施形態の地熱発電システムの作動について説明する。
【００３１】
生産井３１から噴出した地熱水は、熱水噴出ラインＬ１を通して気水分離器１１に送られ、この気水分離器１１は、地熱水から蒸気を分離する。すると、この蒸気は、蒸気供給ラインＬ２を通して蒸気タービン１２に送られ、蒸気タービン１２は、タービンを回転させることで発電機１３により発電を行う。蒸気タービン１２から排出された蒸気は、蒸気排出ラインＬ３を通して復水器１４に送られ、復水器１４にて、冷却塔１７から冷却水供給ラインＬ１３により戻された冷却水と直接接触することで冷却され、凝縮して復水（温水）となる。
【００３２】
一方、気水分離器１１で蒸気が分離された分離熱水は、分離熱水ラインＬ６を通して還元井３２に戻され、地下滞留層へと送り戻されて高圧熱水として再利用される。但し、一部の分離熱水は、分離熱水ラインＬ６から地熱水供給ラインＬ５を通してガス抽出器１５に送られる。ガス抽出器１５は、例えば、地熱水供給ラインＬ５から供給された地熱水により抽出ラインＬ４に対して吸引力（負圧）を発生させ、この吸引力により抽出ラインＬ４を通して復水器１４に滞留する不凝縮ガスを抽出する。ガス抽出器１５により抽出された不凝縮ガスは、不凝縮ガス処理ラインＬ９により気液分離器１６に送られる。このとき、ストレーナＳは、地熱水供給ラインＬ５を流れる地熱水に含まれる異物を除去する。また、調整弁Ｖ２は、地熱水供給ラインＬ５によりガス抽出器１５に送る地熱水の供給量を調整する。
【００３３】
気液分離器１６は、不凝縮ガス処理ラインＬ９により送られてきた不凝縮ガスを含む地熱水を気液分離する。この気液分離器１６で分離した気体（蒸気および不凝縮ガス）は、気体排出ラインＬ１０により冷却塔１７に送られる一方、分離した液体（水）は、液体排出ラインＬ１１により復水器１４に送られる。復水器１４は、蒸気タービン１２からの蒸気と、気液分離器１６からの地熱水を冷却塔１７から戻された冷却水により凝縮して復水とする。
【００３４】
このように第１実施形態の地熱発電システムにあっては、地熱水から蒸気を分離する気水分離器１１と、気水分離器１１で分離された蒸気により駆動する蒸気タービン１２と、蒸気タービン１２により発電する発電機１３と、蒸気タービン１２を駆動した蒸気を凝縮する復水器１４と、気水分離器１１で蒸気が分離された地熱水を用いて復水器１４の不凝縮ガスを抽出するガス抽出器１５とを設けている。
【００３５】
従って、気水分離器１１が地熱水から蒸気を分離し、この蒸気により蒸気タービン１２を駆動することで発電機１３により発電を行い、蒸気タービン１２を駆動した蒸気が復水器１４で凝縮される。また、気水分離器１１は、蒸気が分離された地熱水をガス抽出器１５に送り、ガス抽出器１５は、この地熱水を用いて復水器１４の不凝縮ガスを抽出する。即ち、従来、気水分離器１１が地熱水から分離した蒸気を用いて復水器１４の不凝縮ガスを抽出していたが、これでは、蒸気の無駄遣いとなり、蒸気タービン１２を駆動する蒸気が減少して発電効率が低下する。本発明では、気水分離器１１が蒸気を分離した地熱水を用いて復水器１４の不凝縮ガスを抽出する。そのため、蒸気タービン１２を駆動するための蒸気が減少することはなく、地熱水における熱の有効利用を図ることができ、その結果、地熱水の熱を効率良く使用することで発電効率を向上することができる。
【００３６】
従来の地熱発電システムと本実施形態の地熱発電システムを比較した場合、還元井３２に戻す熱水の温度を同じにすると、約５％の発電効率を向上することができる。
【００３７】
第１実施形態の地熱発電システムでは、気水分離器１１からガス抽出器１５に供給する地熱水に対して異物を除去するストレーナＳを設けている。従って、気水分離器１１からガス抽出器１５に供給される地熱水は、ストレーナＳにより異物が除去されることとなり、復水器１４を有する冷却系統内への異物の混入を防止して各種機器の損傷を防止することができる。
【００３８】
第１実施形態の地熱発電システムでは、気水分離器１１からガス抽出器１５に供給する地熱水の流量を調整する調整弁Ｖ２を設けている。従って、調整弁Ｖ２により気水分離器１１からガス抽出器１５に供給する地熱水の流量を適正量に調整することで、このガス抽出器１５を適正に作動し、復水器１４に滞留する不凝縮ガスを効率良く抽出することができる。
【００３９】
［第２実施形態］
図２は、第２実施形態の地熱発電システムを表す概略構成図である。なお、上述した実施形態と同様の機能を有する部材には、同一の符号を付して詳細な説明は省略する。
【００４０】
本実施形態の地熱発電システムは、シングルフラッシュ方式の地熱発電システムにバイナリ方式の地熱発電システムを組み合わせたコンバインド発電システムである。
【００４１】
地熱発電システムは、図２に示すように、気水分離器１１と、蒸気タービン（第１タービン）１２と、発電機（第１発電機）１３と、復水器１４と、ガス抽出器（エジェクタ）１５と、気液分離器１６と、冷却塔１７と、蒸発器１８と、蒸気タービン（第２タービン）１９と、発電機（第２発電機）２０と、空冷式凝縮器２１と、予熱器２２とを有している。
【００４２】
ここで、シングルフラッシュ方式の地熱発電システムとして、気水分離器１１、蒸気タービン１２、発電機１３、復水器１４、ガス抽出器（エジェクタ）１５、気液分離器１６、冷却塔１７が主に機能し、バイナリ方式の地熱発電システムとして、気水分離器１１、蒸発器１８、蒸気タービン１９、発電機２０、空冷式凝縮器２１、予熱器２２が主に機能する。
【００４３】
生産井３１は、高圧熱水の地下滞留層から天然の地熱水を採取する井戸である。生産井３１の地熱水は、熱水噴出ラインＬ１により気水分離器１１まで送られる。熱水噴出ラインＬ１は、調整弁Ｖ１が設けられている。気水分離器１１は、生産井３１から熱水噴出ラインＬ１を通して送られた地熱水を分離熱水（液体）と蒸気（気体）に分離するものである。地熱水から分離された蒸気は、蒸気供給ラインＬ２により蒸気タービン１２に送られる。蒸気タービン１２は、気水分離器１１で分離された蒸気によりタービンを回転するものである。発電機１３は、タービンの回転軸に駆動連結されており、回転力を受けて発電することができる。
【００４４】
復水器１４は、蒸気タービン１２を駆動した使用済の蒸気が蒸気排出ラインＬ３により送られ、この蒸気を冷却水により凝縮して復水（温水）とするものである。ガス抽出器１５は、復水器１４に滞留する不凝縮ガスを抽出するものである。このガス抽出器１５は、エジェクタであり、抽出ラインＬ４を介して復水器１４に連結されると共に、地熱水供給ラインＬ５が連結されている。地熱水供給ラインＬ５は、調整弁Ｖ２が設けられており、この調整弁Ｖ２によりガス抽出器１５に送る地熱水の流量を調整することができる。ガス抽出器１５は、地熱水供給ラインＬ５から供給された地熱水により抽出ラインＬ４を介して復水器１４に滞留する不凝縮ガスを抽出する。
【００４５】
蒸発器１８は、気水分離器１１で蒸気が分離された分離熱水により低沸点の作動媒体（例えば、ブタンまたはペンタンなど）を加熱して蒸気を生成するものである。蒸発器１８は、気水分離器１１からの分離熱水ラインＬ６を通る分離熱水と、作動媒体供給ラインＬ７を通る作動媒体との間で熱交換を行い、作動媒体を加熱して蒸気とする。蒸発器１８で生成された蒸気は、この作動媒体供給ラインＬ７により蒸気タービン１９に送られる。蒸気タービン１９は、蒸発器１８で生成された蒸気によりタービンを回転するものである。発電機２０は、タービンの回転軸に駆動連結されており、回転力を受けて発電することができる。
【００４６】
空冷式凝縮器２１は、蒸気タービン１９を駆動した使用済の蒸気が作動流体排出ラインＬ８により送られ、この蒸気を冷却空気により凝縮して液体とするものである。予熱器２２は、ガス抽出器１５から排出された不凝縮ガスを含む地熱水により蒸発器１８に供給される作動媒体を予熱するものである。この予熱器２２は、空冷式凝縮器２１から蒸発器１８まで作動媒体供給ラインＬ７により送られる作動媒体と、ガス抽出器１５からの不凝縮ガス処理ラインＬ９を通る蒸気との間で熱交換を行い、作動媒体を予熱する。作動媒体供給ラインＬ７における空冷式凝縮器２１と予熱器２２との間にポンプＰ６が設けられており、ポンプＰ６により作動媒体供給ラインＬ７と作動流体排出ラインＬ８との間で作動流体を循環することができる。
【００４７】
分離熱水ラインＬ６は、ポンプＰ１が設けられており、蒸発器１８で作動流体を加熱し、予熱器２２で作動流体を予熱した分離熱水を還元井３２に戻す。還元井３２に戻された熱水は、地下滞留層へと送り戻され、高圧熱水として再利用される。
【００４８】
また、分離熱水ラインＬ６は、気水分離器１１と蒸発器１８との間に上述した地熱水供給ラインＬ５の基端部が連結されており、地熱水供給ラインＬ５を介してガス抽出器１５に連結されている。即ち、ガス抽出器１５は、気水分離器１１で蒸気が分離された地熱水が分離熱水ラインＬ６及び地熱水供給ラインＬ５を通して供給され、この地熱水により抽出ラインＬ４を介して復水器１４に滞留する不凝縮ガスを抽出する二相流エジェクタにより構成されている。地熱水供給ラインＬ５は、調整弁Ｖ２よりも上流側に地熱水から異物を除去するストレーナＳが設けられている。
【００４９】
気液分離器１６は、不凝縮ガス処理ラインＬ９の下流端部が連結され、不凝縮ガスを含んだ地熱水を気液分離するものである。このとき、不凝縮ガスを含んだ地熱水は、予熱器２２で作動流体を予熱することから一部が凝縮されており、別途、冷却水が不要となる。気液分離器１６は、気体排出ラインＬ１０により冷却塔１７に連結され、気体排出ラインＬ１０に真空ポンプＰ２が設けられている。また、気液分離器１６は、液体排出ラインＬ１１により復水器１４に連結され、液体排出ラインＬ１１にポンプＰ４が設けられている。気液分離器１６は、分離した気体（蒸気および不凝縮ガス）を気体排出ラインＬ１０により冷却塔１７に送ると共に、分離した液体（水）を液体排出ラインＬ１１により復水器１４に送る。
【００５０】
冷却塔１７は、気液分離器１６からの蒸気及び不凝縮ガスと、復水器１４からの復水（温水）が冷却されるものである。冷却塔１７は、前述したように、気液分離器１６からの気体排出ラインＬ１０が連結され、また、復水器１４との間に復水供給ラインＬ１２と冷却水供給ラインＬ１３が設けられている。そして、復水供給ラインＬ１２と冷却水供給ラインＬ１３は、ポンプＰ４，Ｐ５が設けられている。冷却塔１７は、気液分離器１６から気体排出ラインＬ１０により送られた蒸気及び不凝縮ガスを大気に排出する。また、冷却塔１７は、復水器１４から復水供給ラインＬ１２により送られた復水を空気に接触させて冷却する。冷却塔１７で冷却された復水は、冷却水供給ラインＬ１３により復水器１４に送られ、冷却水として使用される。
【００５１】
ここで、第２本実施形態の地熱発電システムの作動について説明する。
【００５２】
生産井３１から噴出した地熱水は、熱水噴出ラインＬ１を通して気水分離器１１に送られ、この気水分離器１１は、地熱水から蒸気を分離する。すると、この蒸気は、蒸気供給ラインＬ２を通して蒸気タービン１２に送られ、蒸気タービン１２は、タービンを回転させることで発電機１３により発電を行う。蒸気タービン１２から排出された蒸気は、蒸気排出ラインＬ３を通して復水器１４に送られ、復水器１４にて、冷却塔１７から冷却水供給ラインＬ１３により戻された冷却水と直接接触することで冷却され、凝縮して復水（温水）となる。
【００５３】
一方、気水分離器１１で蒸気が分離された分離熱水の一部は、分離熱水ラインＬ６から地熱水供給ラインＬ５を通してガス抽出器１５に送られる。ガス抽出器１５は、例えば、地熱水供給ラインＬ５から供給された地熱水により抽出ラインＬ４に対して吸引力（負圧）を発生させ、この吸引力により抽出ラインＬ４を通して復水器１４に滞留する不凝縮ガスを抽出する。ガス抽出器１５により抽出された不凝縮ガスは、不凝縮ガス処理ラインＬ９に送り出される。このとき、ストレーナＳは、地熱水供給ラインＬ５を流れる地熱水に含まれる異物を除去する。また、調整弁Ｖ２は、地熱水供給ラインＬ５によりガス抽出器１５に送る地熱水の供給量を調整する。
【００５４】
また、気水分離器１１で蒸気が分離された分離熱水のほとんどは、分離熱水ラインＬ６を通して蒸発器１８、予熱器２２に送られる。予熱器２２は、不凝縮ガス処理ラインＬ９を流れる不凝縮ガスを含む蒸気により作動媒体供給ラインＬ７を流れる作動流体を予熱する。蒸発器１８は、分離熱水ラインＬ６を流れ分離熱水により作動媒体供給ラインＬ７を流れる作動流体を予熱して蒸気を生成する。なお、蒸発器１８と予熱器２２を通過した分離熱水は、還元井３２に戻され、地下滞留層へと送り戻されて高圧熱水として再利用される。
【００５５】
すると、この作動流体の蒸気は、作動媒体供給ラインＬ７を通して蒸気タービン１９に送られ、蒸気タービン１９は、タービンを回転させることで発電機２０により発電を行う。蒸気タービン１９から排出された作動媒体の蒸気は、空冷式凝縮器２１に送られ、空冷式凝縮器２１は、空気と直接接触することで冷却され、凝縮して液体（作動媒体）となる。
【００５６】
そして、予熱器２２で作動媒体を予熱した不凝縮ガスを含む地熱水は、不凝縮ガス処理ラインＬ９により気液分離器１６に送られ、気液分離器１６は、この地熱水を気液分離する。この気液分離器１６で分離した気体（蒸気および不凝縮ガス）は、気体排出ラインＬ１０により冷却塔１７に送られる一方、分離した液体（水）は、液体排出ラインＬ１１により復水器１４に送られる。復水器１４は、蒸気タービン１２からの蒸気と、気液分離器１６からの地熱水を冷却塔１７から戻された冷却水により凝縮して復水とする。
【００５７】
このように第２実施形態の地熱発電システムにあっては、地熱水から蒸気を分離する気水分離器１１と、気水分離器１１で分離された蒸気により駆動する蒸気タービン１２と、蒸気タービン１２により発電する発電機１３と、蒸気タービン１２を駆動した蒸気を凝縮する復水器１４と、気水分離器１１で蒸気が分離された地熱水を用いて復水器１４の不凝縮ガスを抽出するガス抽出器１５と、気水分離器１１で蒸気が分離された地熱水により作動媒体を加熱して蒸気を生成する蒸発器１８と、ガス抽出器１５から排出された蒸気により蒸発器１８に供給される作動媒体を予熱する予熱器２２と、蒸発器１８で分離された蒸気により駆動する蒸気タービン１９と、蒸気タービン１９により発電する発電機２０とを設けている。
【００５８】
従って、従来、気水分離器１１が地熱水から分離した蒸気を用いて復水器１４の不凝縮ガスを抽出していたが、これでは、蒸気の無駄遣いとなり、蒸気タービン１２を駆動する蒸気が減少して発電効率が低下する。本発明では、気水分離器１１が蒸気を分離した地熱水を用いて復水器１４の不凝縮ガスを抽出する。そのため、蒸気タービン１２を駆動するための蒸気が減少することはなく、地熱水における熱の有効利用を図ることができ、その結果、地熱水の熱を効率良く使用することで発電効率を向上することができる。
【００５９】
また、気水分離器１１が地熱水から蒸気を分離し、この蒸気により蒸気タービン１２を駆動して発電機１３により発電を行うと共に、蒸発器１８が残りの地熱水により作動媒体を加熱して蒸気を生成し、この蒸気により蒸気タービン１９を駆動して発電機２０により発電を行う。このとき、蒸気タービン１２を駆動した蒸気が復水器１４で凝縮され、ガス抽出器１５は、気水分離器１１が蒸気を分離した地熱水を用いて復水器１４の不凝縮ガスを抽出する。そして、不凝縮ガスを含んだ地熱水を予熱器２２に送り、この地熱水により蒸発器１８に供給される作動媒体を予熱する。そのため、従来、復水器１４で不凝縮ガスを含んだ地熱水を凝縮していたが、本発明では、この不凝縮ガスを含んだ地熱水により作動媒体を予熱することで、地熱水における熱の有効利用を図ることができ、その結果、地熱水の熱を効率良く使用することで発電効率を向上することができる。
【００６０】
そして、予熱器２２で作動流体を予熱した不凝縮ガスを含んだ地熱水は、気液分離器１６で液体が分離されて復水器１４に戻されるが、この不凝縮ガスを含んだ地熱水は、予熱器２２で凝縮されるため、別途、この蒸気を凝縮するための冷却系統が不要となる。そのため、冷却系統として、冷却水供給ラインＬ１３から気液分離器１６への冷却水供給ラインが不要となり、システムのコンパクト化を図ることができる。また、冷却塔１７で処理する冷却水の量が減少するため、冷却塔１７やポンプＰ６などの小型化が可能となる。
【符号の説明】
【００６１】
１１  気水分離器
１２  蒸気タービン
１３  発電機
１４  復水器
１５  ガス抽出器（エジェクタ）
１６  気液分離器
１７  冷却塔
１８  蒸発器
１９  蒸気タービン（第２タービン）
２０  発電機（第２発電機）
２１  空冷式凝縮器
２２  予熱器
３１  生産井
３２  還元井
Ｌ１  熱水噴出ライン
Ｌ２  蒸気供給ライン
Ｌ３  蒸気排出ライン
Ｌ４  抽出ライン
Ｌ５  地熱水供給ライン
Ｌ６  分離熱水ライン
Ｌ７  作動媒体供給ライン
Ｌ８  作動流体排出ライン
Ｌ９  不凝縮ガス処理ライン
Ｌ１０  気体排出ライン
Ｌ１１  液体排出ライン
Ｌ１２  復水供給ライン
Ｌ１３  冷却水供給ライン
Ｌ１４  分岐ライン
Ｐ１，Ｐ３，Ｐ４，Ｐ５  ポンプ
Ｐ２  真空ポンプ
Ｓ  ストレーナ
Ｖ１，Ｖ２  調整弁
【図１】
2016098805.tif 000003
【図２】
2016098805.tif 000004